(57)【要約】【課題】昨今の音響再生用スピーカにおいては、各種再生機器のデジタル化により音の出口であるスピーカの高音再生帯域とＳＮ比向上が求められている。【解決手段】本発明のスピーカ振動板は、竹齢１年以上の竹から得られた竹繊維をミクロフィブリル状態まで小さくして、布にコートするゴム系のコート剤に混入させコートすることにより、竹繊維の持つ強度が加わりコートした布材の弾性率が向上すると共に、ゴム材より比重の小さな竹繊維を使用したことにより、軽量化を図ることができる。これにより高音再生帯域の拡大と低歪を両立できるスピーカ用振動板を提供することができる。【選択図】図１
2009094673.tif 000002
【特許請求の範囲】
【請求項１】
布とコート剤とからなるスピーカ用振動板であって、前記スピーカ用振動板はゴム系コート剤に竹繊維を混入させたスピーカ用振動板。
【請求項２】
竹繊維の含有量が０．５ｗｔ％以上３０ｗｔ％以下とした請求項１記載のスピーカ用振動板。
【請求項３】
竹繊維の平均繊維径が５μｍ以上３０μｍ以下とした請求項１記載のスピーカ用振動板。
【請求項４】
請求項１から請求項３のいずれか１つに記載のスピーカ用振動板を使用したスピーカ。
【発明の詳細な説明】
【技術分野】
【０００１】
本発明は各種音響機器や映像機器に使用されるツィータ用等のスピーカ用振動板および、このスピーカ用振動板を用いたスピーカに関するものである。
【背景技術】
【０００２】
昨今のオーディオ業界や、オーディオ機器を搭載した自動車業界では、デジタル機器の普及により、スピーカから再生される高音域での再生帯域とＳＮ比は飛躍的に向上した。
【０００３】
再生機器によるＳＮ比の向上により、今まで以上にスピーカの低歪化が要望されている。
【０００４】
これらの業界での、ツィータを代表とするスピーカに対するトレンドは高音質化、高音再生帯域の拡大、環境調和型である。
【０００５】
高音質化と高音再生帯域の拡大では、ユーザニーズである音質的要求を実現させるため、その音質を決定するウエイトの高いスピーカの構成部品である振動板の開発が急務である。
【０００６】
この振動板開発は、低歪と製造のしやすさから布にゴムコートをしたソフト系振動板を中心に多くの開発が進められている。一方、金属系等のハード系振動板は高音再生帯域は広いが、音質を劣化させる歪が大きいのと製造が非常に困難である。
【０００７】
ソフト系振動板の音質決定要素は、布基材とゴム系コート剤の２点が大きな要素になっている。なかでもゴム系コート剤における高音再生帯域の拡大要素は大きなものである。
【０００８】
このことにより、低歪で高音再生帯域が広く、かつ生産が容易な材料が必要不可欠となってきている。
【０００９】
なお、この出願の発明に関する先行技術文献情報としては、例えば、特許文献１が知られている。
【特許文献１】特開昭５８−２８９５９号公報
【発明の開示】
【発明が解決しようとする課題】
【００１０】
音響再生用のツィータ等のスピーカにおいて、音質に大きな影響を与える振動板材料には、製造の容易性と歪音の少なさから、布にゴム系のコート剤を塗布した物を金型にて成形して得る振動板が多く使われている。
【００１１】
しかしながら、布にゴム系のコート剤を塗布した振動板は弾性率の低さと重量の重さから高域再生帯域には限界があり、広い高域再生帯域を要望されるスピーカにはあまり採用されていなかった。
【００１２】
スピーカの振動板材料には、金属製や紙製、フィルム製等、多くの材料が使用されているが、音質面、コスト面、生産性で一長一短があり、決め手となる材料が存在していなかった。
【００１３】
音響再生用ツィータの振動板に求められる性能としては、高弾性、軽量が過去から要望されていた。
【００１４】
本発明は前記課題を解決し、振動板自体の弾性率を向上させ、スピーカとしての高域再生帯域の向上を図り、また、本来の特徴である歪の少なさを維持し、かつ安定供給が望める材料でのスピーカ用振動板を提供することを目的とするものである。
【課題を解決するための手段】
【００１５】
上記目的を達成するために本発明は、少なくとも、竹齢１年以上の竹から得られた竹繊維を、その叩解度をミクロフィブリル状態まで小さくし、布にコートするゴム系コート剤の中に混入させて構成したものである。
【００１６】
ゴム系コート剤は、原材料にミクロフィブリル状態にした竹繊維を混入して、竹繊維をゴム系材料の中に均一に分散させた状態で、布にコートするものである。
【発明の効果】
【００１７】
以上のように本発明のスピーカ用振動板は、竹齢１年以上の竹から得られた竹繊維をミクロフィブリル状態まで小さくして、布にコートするゴム系のコート剤に混入させコートすることにより、竹繊維の持つ強度が加わりコートした布材の弾性率が向上すると共に、ゴム材より比重の小さな竹繊維を使用したことにより、軽量化を図ることができる。
【００１８】
前記特徴により、本発明のスピーカ用振動板は高域再生帯域の拡大と低歪を両立できる振動板を提供することができる。
【発明を実施するための最良の形態】
【００１９】
音響分野においては、高弾性で低比重の材質によるツィータ用振動板の方が高域再生帯域が向上することは、一般的に知られている事実である。
【００２０】
ツィータ用振動板に使用するゴム系コート剤の弾性率向上と低比重化を実現するために、竹繊維をミクロフィブリル化したものをコート剤に混入させる。
【００２１】
竹繊維をゴム材に混入させることにより、高剛性と低比重を実現させることができ、高域再生帯域の拡大を実現することができる。また、振動板の軽量化により音圧も向上させることができる。
【００２２】
布にゴム系コート剤をコートした以外の振動板では、前記材料より高弾性、低比重の材料も存在するが、たとえば金属製振動板での場合は金属独特の歪音が発生するのと、加工が困難であり高価なものとなる。他にフィルム製振動板においては加工も比較的容易であり安価であるが、金属製同様に歪音が多く、耐熱性も劣るものである。
【００２３】
竹材自体は、剛性が非常に高く、なおかつ成長が速く伐採してもすぐにもとの竹林が再生されるという利点も備えており、地球環境に与える影響が小さいものである。
【００２４】
むしろ増えすぎた竹林を伐採して竹害を無くすことが、地球環境にとって望ましい状況になる。
【００２５】
竹繊維の含有量については、弾性率と比重の面からは含有量が多いほど望ましいが、性能やコスト、製造の容易性から考慮するならば０．５ｗｔ％以上３０ｗｔ％以下が適切な範囲である。
【００２６】
含有量が０．５ｗｔ％以下の場合は、物性的な向上はほとんど得られない。
【００２７】
また、含有量が３０ｗｔ％以上の場合は、竹繊維の均一分散が困難であるばかりか、コスト的にも高価なものになってくる。
【００２８】
（実施の形態１）
以下、実施の形態１を用いて、本発明の特に請求項１から請求項４に記載の発明について説明する。
【００２９】
本発明の音響再生用ツィータの振動板材料は、布材にゴム系のコート剤を塗布したものを金型にて成形したものであり、口径Φ３０ｍｍで半円のドーム形状を有するものである。図１は、本発明の一実施の形態におけるスピーカの断面図を示したものである。図２は当スピーカの特性を従来品との比較において示したものである。（表１）は当振動板の物性値を示したものである。
【００３０】
図１に示すように、本発明のスピーカは、磁気ギャップ１を有する磁気回路２と、この磁気ギャップ１に配置されるボイスコイル３をその一部に有するボビン４に結合された振動板５をフレーム６に結合して構成している。
【００３１】
音響業界においては、音響再生用ツィータ振動板の物性値が高弾性で軽量なほど高域再生帯域が広がることは、周知の事実である。
【００３２】
本発明のスピーカ用振動板に使用されるゴム系コート剤への竹繊維含有量については、０．５ｗｔ％〜３０ｗｔ％程度が物性値の向上とコスト面において適している。
【００３３】
なお、本発明のスピーカ用振動板に使用されるゴム系コート剤への竹繊維含有量については、０．５ｗｔ％以上で物性値は向上する。
【００３４】
しかしながら、含有量が３０ｗｔ％以上になると、竹繊維の均一分散が困難であるばかりか、コスト的にも高価なものになってくる。
【００３５】
また、竹繊維を平均繊維径が５μｍ以上３０μｍ以下の小さな状態にし、かつミクロフィブリル化することによりゴム材との親和性が向上し、竹繊維をゴム系コート剤に均一に分散させることができる。
【００３６】
５μｍ以下の繊維径の場合は、加工に時間がかかり高価なものとなる。繊維径が３０μｍ以上の場合は、ゴム系コート剤に均一に分散しにくく、安定した材料を供給することができない。また、成形後の振動板表面に凸凹が見え、外観的にも悪く音質的にも良くない。
【００３７】
【表１】
2009094673.tif 000003
【産業上の利用可能性】
【００３８】
本発明によるスピーカ用振動板及びスピーカ装置は、弾性率が高い振動板によるスピーカとしての高域再生帯域の向上を図り、また、本来の特徴である歪の少なさを維持し、かつ安定供給が望める材料を用いたものである。
【００３９】
高音域での音圧レベル向上等の量感度向上、さらには高い品質および信頼性が必要な映像音響機器や情報通信機器、さらには自動車等の装置に適用できる。
【図面の簡単な説明】
【００４０】
【図１】本発明の一実施の形態におけるスピーカの断面図
【図２】本発明の一実施の形態と従来品におけるスピーカ特性を表したグラフ
【符号の説明】
【００４１】
１  磁気ギャップ
２  磁気回路
３  ボイスコイル
４  ボビン
５  振動板
６  フレーム
【図１】
2009094673.tif 000004
【図２】
2009094673.tif 000005